(57)【要約】【課題】  簡単な操作で布団カバーを布団に係止させるようにする。【解決手段】  帯状物１９の中央部分に結合具としての押圧式ボタン１８の雌側ボタン部１８ａを備え且つ両端部に押圧式ボタン１８の雄側ボタン部１８ｂと雌側ボタン部１８ａを備えてなる保持部材１６と、帯状物２０の中央部分に、上記保持部材１６の中央部分に備えた結合具１８ａと対をなす結合具としての押圧式ボタン１８の雄側ボタン部１８ｂを備えて、該帯状物２０の両端部を結合してリング状にした保持部材１７を用いる。上記保持部材１６を布団３に取り付けてある係止用の帯４に通し、リング状にして取り付けておく。上記リング状の保持部材１７は、布団カバー１に取り付けておく。両保持部材１６と１７の中央部分の結合具１８ａと１８ｂの着脱操作のみで布団と布団カバーの結合、取り外しを行えるようにする。【選択図】図１
0003107996.tif 000002
【実用新案登録請求の範囲】
【請求項１】
布団の少なくとも四隅部に着脱自在に取付け保持させておくようにしてある保持部材と、布団カバーの内側の少なくとも四隅部に取付け保持させておくようにしてある保持部材とからなり、上記布団の各隅部に着脱自在に取り付けてある保持部材と上記布団カバーの対応する各隅部に取り付けてある保持部材とを着脱自在に結合することにより、布団カバーを布団に留めて布団カバーのずれ止めを行うようにしたことを特徴とする布団カバーのずれ防止装置。
【請求項２】
布団に取付け保持させておくようにしてある保持部材は、布団の各隅部にあるループ状の帯又は紐に通せるようにしてある帯状物と、該帯状物の両端部同士を着脱自在に留めるように該両端部に備えた結合具と、上記帯状物の中央部分に備えた結合具とからなるものとし、又、布団カバーに取付け保持させておくようにしてある保持部材は、リング状にした帯状物と、該帯状物の中央部分に備えてあって、上記布団に保持される保持部材の帯状物の中央部分の結合具に着脱自在に結合できるようにしてある結合具とからなるものとした請求項１記載の布団カバーのずれ防止装置。
【請求項３】
布団に取付け保持させておくようにしてある保持部材の帯状物の中央部に備えた結合具を、押圧式ボタンの雄側又は雌側のボタン部とし、且つ布団カバーに取付け保持させておくようにしてある保持部材の帯状物に備えた結合具を、押圧式ボタンの雌側又は雄側のボタン部として、着脱できるようにした請求項２記載の布団カバーのずれ防止装置。
【考案の詳細な説明】
【技術分野】
【０００１】
本考案は、布団を包むように被せた布団カバーがずれないようにする布団カバーのずれ防止装置に関するものである。
【背景技術】
【０００２】
布団をカバーなしの状態で使用し続けると、布団の表面に汚れを生じたり、布が破れたりすることがある。そのため、布団布の汚れや破れ等を防止する目的でほとんどの掛け布団では、一側縁部に開口部を開閉可能に備えて全体を布団の大きさの袋状に縫製してなる布団カバーが使用されている。
【０００３】
布団に布団カバーを被せて使用するときは、布団カバーの一側縁部の開口部より該布団カバー内に布団を押し込んで、布団全体を布団カバー内に収納してから、布団の四隅部を布団カバーの四隅部の内側に正しく位置させるようにしている。
【０００４】
しかし、単に布団に布団カバーを被せた状態では、布団を使用している途中で布団に対して布団カバーのずれが生じ、布団が片寄る等、布団カバーの中で布団がずれ動く（あるいは布団の外側で布団カバーがずれ動く）という事態が生じる。
【０００５】
かかる事態を未然に防止するため、従来の掛け布団では、主として四隅部の裏面側に、細い帯状にした布を斜めに配置して両端を縫い付けてなるループ状の係止用帯や、細紐をループ状にしてその両端を縫い付けて形成した小さいループ状係止用紐を備え、一方、布団カバーの四隅部の内側には、上記布団の四隅部の係止用帯やループ状係止用紐に結びつけるようにするために、細紐の中央部を縫い付けてなる所要長さの結び用の紐を備えた構成とし、布団に被せた布団カバーの各隅部の結び用紐を、布団の隅部の係止用帯又はループ状係止用紐に通して結ぶことにより、布団と布団カバーのずれを防止するようにしたものが用いられている。
【０００６】
ところが、上記布団カバーに取り付けた結び用の紐を布団の四隅部の係止用帯やループ状係止用紐に通して結ぶようにしたものでは、布団に布団カバーを被せるときは、布団カバー側の細い結び用紐を布団に固定のループ状の係止用帯あるいは係止用紐に通すことが大変であると共に面倒であり、又、通してからは両手を使って結ぶ動作が必要で、結び用紐が細かったり、短かくなっていると、結びつけるのが容易ではなく、手の大きい人にとっては結びにくいという問題もあった。一方、布団カバーを洗濯する等のために布団から外すときには、四隅部の結び用紐をそれぞれ解かなければならず、又、結び用紐を解きながら布団カバーを引張ったりするとき、結びが十分に解けていないところでは布団側の係止用帯あるいはループ状係止用紐に引掛って取れなくなってしまうこともあり、又、布団カバー側の紐が布団側の係止用帯あるいはループ状の係止用紐に固結びになると解きにくいことがあり、無理に引張ると布団カバーから紐がとれて布団カバーの一部が破れることがある。
【０００７】
このような問題点を解消するものとして、近年では、たとえば、図９、図１０に示す如く、細い帯状とした布の両端側を同じ方向へ折り返して固着することによりループを形成し、このループ形成部に留め具６と７を固定してズレ防止紐５を作り、該紐５の中央部分を、布団カバー１に取り付けてある紐２で結びつけるか、あるいはズレ防止紐５の中央部分を布団カバー１の内側の隅部に直接縫い付けるようにし、ズレ防止紐５の一端側を、布団３の隅部の裏側に両端を取り付けて形成した係止用の帯４の内側に通して折り曲げてから、留め具６と７を結合して布団カバー１を布団３に固定させるようにしたものが提案されている（たとえば、特許文献１参照）。
【０００８】
又、図１１、図１２に示す如く、つまみ９を突出させたボタン設置部材１０と、取付け部１１を突出させたボタン設置部材１２とを、折曲部１３で連接し、更に、上記ボタン設置部材１０の両端部には、押圧ボタンの雄１４ａと１４ｂを、又、上記ボタン設置部材１２の両端部には、押圧ボタンの雌１５ａと１５ｂをそれぞれ装着してなるバンド８を形成し、該バンド８の一端の取付け部１１を、布団カバー１の内側の四隅に装着して、つまみ９側が張り出すようにした構成とし、布団３の四隅の裏側の帯４にバンド８をつまみ９側から通して折曲部１３で折り返し、押圧ボタンの２つの雄１４ａ，１４ｂと２つの雌１５ａ，１５ｂをそれぞれ結合させて止着させるようにしたものが提案されている（たとえば、特許文献２参照）。
【０００９】
更に、布団カバーの内側の四隅部に、細長い帯状とした面ファスナの一端部を縫い付けて固定し、布団カバー内に布団を収納して、布団の四隅部を布団カバー内側の四隅部に位置合わせをするときに、布団の四隅に設けたループ状係止用紐に上記面ファスナの自由端側を通した後、該面ファスナを折り返して二つ折りにして接合させることにより、布団と布団カバーのずれを防止するようにしたものも提案されている（たとえば、特許文献３参照）。
【００１０】
【特許文献１】実用新案登録第３０７０４５７号公報
【特許文献２】特開２００４−１５４４９６号公報
【特許文献３】実用新案登録第３０１５５９５号公報
【考案の開示】
【考案が解決しようとする課題】
【００１１】
ところが、特許文献１に記載されているものは、布団３に予め取り付けられているループ状の帯４に結び付ける布団カバー側の紐に代えてズレ防止紐５を用いるようにしたもので、布団カバー１の内側の四隅部にズレ防止紐５を、布団カバー１と一体の紐２で結びつけたり、布団カバー１に直接縫い付けて取り付けるようにするものである。そのため、布団カバー１を布団の外側に被せてずれ止めをするときには、ズレ防止紐５のいずれか一方を必ず布団３に取り付けてある係止用の帯４の内側に通す作業が不可欠であると共に、帯４の内側に通したズレ防止紐５を折り返して留め具６と７を結合させる必要があり、狭いところで且つ小さいループが形成されるような小さい帯４の内側にズレ防止紐５を通す作業は非常に面倒であると共に、細かい手先の作業となって、暗いところでは帯４の内側に通す作業が難しいという問題がある。又、布団カバー１を布団から外すときには、ズレ防止紐５の両端を引張って留め具６，７の結合を解除した後に、留め具６又は７の付いたズレ防止紐５の一端側を帯４の内側を通して抜き出すことが必要で、二重の動作が必要である。しかも、ズレ防止紐５は、両端がループ状になっていることに加え、留め具６，７が中央部分を境に対称的に位置していて、両端側のどちらを布団３側の係止用の帯４の内側に通す場合にも、端は膨んでいて通しにくく、又、留め具６又は７が帯４に引掛り易いという問題もあり、ズレ防止紐５を係止用の帯４に通す作業が非常に難しいという問題がある。
【００１２】
又、特許文献２に記載されたものも、布団３に予め取り付けてあるループ状の帯４に結び付ける布団カバー１側の紐に代えて、バンド８を用いるようにしたもので、バンド８のつまみ９を突出させている幅広のボタン設置部材１０を、布団３の四隅の裏側に取り付けてある係止用の帯４の内側に通してから折り返してボタン設置部材１０と１２を重ね合わせ、しかる後に、２個所の押圧ボタンの雄１４ａ，１４ｂと雌１５ａ，１５ｂをそれぞれ結合させて布団と布団カバーのずれ止めを行うようにしたものである。そのため、布団カバー１を布団３に被せてずれ止めをするときには、前記した特許文献１の場合と同様に、バンド８を布団３側のループ状の帯４に通すことが不可欠の作業であり、小さくて狭い帯４に、バンド８を通す作業は難しいという問題がある。しかも、つまみ９側から帯４に通す場合に、つまみ９の幅より広幅となっているボタン設置部材１０をループ状の帯４に通すとき、つまみ９との段差部が帯４に引掛り易くて、簡単に帯４の内側へ通すことができないおそれがあると共に、ボタン設置部材１０に押圧ボタンの雄１４ａ，１４ｂがあるので、この押圧ボタンの雄１４ａ，１４ｂが帯４に引掛り易く、つまみ９を先に通してから該つまみ９を強く引張ることも必要と考えられる。更に、ループ状の帯４に通し終ると、次には２個所のボタンを止めるので、多くの手数がかかる。一方、布団カバー１を布団３から外すときは、２個所の押圧ボタンの雄１４ａ，１４ｂと雌１５ａ，１５ｂの結合を１つひとつ解除した後に、バンド８を帯４から引き抜く必要があり、引き抜くときにも、広幅のボタン設置部材１０が帯４に引掛って抜き難いという問題がある。
【００１３】
このように、布団カバー１を布団３に付けたり、布団３から外したりする都度、バンド８を帯４に無理矢理通してからボタンを結合したり、ボタンの結合を外してからバンド８を強い力で引き抜いたりすることが必要で、多くの手数を要するという問題がある。
【００１４】
更に、特許文献３に記載されたものは、布団カバーに帯状の面ファスナを取り付けるものであるが、この面ファスナも布団に固定したループ状の係止紐に通してから折り返して自己保持させるものであるため、布団カバーを布団に被せてずれ止めするときは、必ず面ファスナを布団の係止用紐に通す作業をした後に折り曲げて面ファスナ同士で固定させる作業をしなければならず、手数を要する問題がある。又、面ファスナは、使用中にほこり等が付着して接合力が低下して行き、ずれ止めしていても、面ファスナの自己保持が保てなくなるおそれがあるという問題もある。
【００１５】
このように、従来のものでは、いずれも布団カバー１にのみ結び紐に代るものを取り付けるようにしてあるもので、布団側には全く着目されたものではない。
【００１６】
そこで、本考案者は、布団に取り付けてあるループ状の帯や紐に布団カバー側の紐を通す煩わしさを如何にしたらなくすことができるかについて工夫、研究を重ねて、布団側に工夫を施すことにより、１動作で布団カバーを布団に結合したり、結合を解除できることを見い出し、本考案をなした。
【００１７】
したがって、本考案の目的とするところは、従来の布団に取り付けてある小さく細いループ状の帯又は紐に布団カバーに取り付けられた紐を通して結び付けたり、ズレ防止紐やバンドを通して止めるという煩わしい作業を一切不要にして、布団と布団カバーを１動作で簡単に且つ迅速に結合したり、解除できるようにする布団カバーのずれ防止装置を提供しようとするものである。
【課題を解決するための手段】
【００１８】
本考案は、上記課題を解決するために、布団の少なくとも四隅部に着脱自在に取付け保持させておくようにしてある保持部材と、布団カバーの内側の少なくとも四隅部に取付け保持させておくようにしてある保持部材とからなり、上記布団の各隅部に着脱自在に取り付けてある保持部材と上記布団カバーの対応する各隅部に取り付けてある保持部材とを着脱自在に結合することにより、布団カバーを布団に留めて布団カバーのずれ止めを行うようにした構成とする。
【００１９】
又、上記構成において、布団に取付け保持させておくようにしてある保持部材は、布団の各隅部にあるループ状の帯又は紐に通せるようにしてある帯状物と、該帯状物の両端部同士を着脱自在に留めるように該両端部に備えた結合具と、上記帯状物の中央部分に備えた結合具とからなるものとし、又、布団カバーに取付け保持させておくようにしてある保持部材は、リング状にした帯状物と、該帯状物の中央部分に備えてあって、上記布団に保持される保持部材の帯状物の中央部分の結合具に着脱自在に結合できるようにしてある結合具とからなる構成とし、更に、布団に取付け保持させておくようにしてある保持部材の帯状物の中央部に備えた結合具を、押圧式ボタンの雄側又は雌側のボタン部とし、且つ布団カバーに取付け保持させておくようにしてある保持部材の帯状物に備えた結合具を、押圧式ボタンの雌側又は雄側のボタン部として、着脱できるようにした構成とする。
【考案の効果】
【００２０】
本考案の布団カバーのずれ防止装置によれば、次のような優れた効果を奏し得る。  
（１）布団の少なくとも四隅部に保持部材を着脱自在に取付け保持させておくことから、布団カバーの内側の少なくとも四隅部に取付け保持させた保持部材との間で着脱させるだけの簡単な１動作のみで布団と布団カバーをつなぎ合わせることができるので、従来の布団カバー側の紐を、布団に取り付けてあるループ状の帯又は紐に通して結んだり、布団カバーに取り付けたズレ防止紐やバンドを、布団に取り付けてあるループ状の帯又は紐に通してから折り返して留めるという面倒な操作を一切不要にすることができる。  
（２）上記（１）により、布団に被せた布団カバーのずれ止めのために、該布団と布団カバーとの結合をワンタッチで簡単に且つ素早く行うことができて、各隅部を含む全体の結合作業を短時間に行うことができると共に、布団カバーを取り外すときも、布団の保持部材と布団カバーの保持部材との結合を解除するだけの一動作で行うことができ、布団カバーを布団から取り外す作業を簡単に且つ短時間に行うことができる。  
（３）布団に取付け保持させておくようにしてある保持部材が、帯状物をループ状に結合できるようにして、その帯状物に結合具を備えたものとしてあるので、帯状物を、布団に取り付けてあるループ状の帯又は紐に予め通して保持させておくことができて、この保持部材の結合具に、布団カバーに取付け保持させた保持部材の結合具をワンタッチで結合させるだけで布団カバーを布団に止着させることができる。又、結合を解除する場合は、各保持部材の帯状物で形成されるリング内に手の指を入れるか、又は帯状物を掴むことにより、引き離す方向へ引張る操作を簡単に行うことができて、容易に行うことができる。  （４）布団に保持させておく保持部材と布団カバーに保持させておく保持部材を結合する結合具を、押圧式ボタンの雄側ボタン部と雌側ボタン部とすることにより、一対のボタン部からなるボタンの着脱操作のみで結合、切り離しを行うことができ、煩らわしさがなく、誰でも容易に操作することができる。
【考案を実施するための最良の形態】
【００２１】
以下、図面に基づき本考案を実施するための最良の形態を説明する。
【００２２】
図１乃至図５（イ）（ロ）は本考案の実施の一形態を示すもので、掛け布団３の少なくとも四隅部の裏面側に斜め配置で両端部を縫着してループ状にしてある各係止用の帯４に、リング状にして事前に取り付けておくようにしてある保持部材１６と、布団カバー１の内側の少なくとも四隅部に、リング状にして取り付けておくようにしてある保持部材１７とからなり、上記両保持部材１６と１７を後述する結合具を介し着脱させる操作のみで布団カバー１を布団３に係止したり、布団カバー１を布団３から取り外すことができるようにする。
【００２３】
上記布団３に取り付けておくようにする保持部材１６は、図２（イ）（ロ）に示す如く、所要の幅、たとえば、１．５ｃｍ〜２．０ｃｍ程度の幅を有し且つ所要の長さとしたリボンテープ状の帯状物１９の中央部分に、結合具として、押圧式ボタン１８を構成する雌側ボタン部１８ａと雄側ボタン部１８ｂのうちの雌側ボタン部１８ａを表側に向けて装着すると共に、一端部に、雌側ボタン部１８ａを表側に向けて、又、他端部に、雄側ボタン部１８ｂを裏側に向けてそれぞれ装着した構成としてある。上記両端部の雌側ボタン部１８ａと雄側ボタン部１８ｂの間隔は、帯状物１９を折り曲げて該雌側ボタン部１８ａと雄側ボタン部１８ｂを結合したときに手の指が少なくとも１本入り得る大きさのリングが形成されるような寸法としてある。又、帯状物１９の両端は、小さく折り曲げて縫合することにより端がほぐれたりすることがないようにすると共に、上記両端部の押圧式ボタン１８の雌側ボタン部１８ａ及び雄側ボタン部１８ｂから端までは、指で掴むことができるような十分な長さとしてある。
【００２４】
又、上記布団カバー１に取り付けておくようにする保持部材１７は、図３（イ）（ロ）（ハ）に示す如く、上記保持部材１６と同様な幅を有する帯状物２０の中央部分に、上記保持部材１６の中央部分の結合具としての押圧式ボタン１８の雌側ボタン部１８ａに対応する雄側ボタン部１８ｂを結合具として表面側に向けて装着し、更に、上記帯状物２０を折り曲げて端部同士を縫い合わせて、手の指が少なくとも１本入り得る大きさのリング状に成形した構成としてある。
【００２５】
上記保持部材１６と１７の各帯状物１９，２０は、押圧式ボタン１８の雌側ボタン部１８ａや雄側ボタン部１８ｂを堅固に取り付けることができると共に、該雌側ボタン部１８ａと雄側ボタン部１８ｂの結合状態を、帯状物１９，２０を引張って解除するときに、各ボタン部１８ａ，１８ｂの取付位置が破れたりすることがないような強度を有するものとする。
【００２６】
上記構成としてある本考案の布団カバーのすべり防止装置を用いて布団カバーのすべり止めを行うときは、前以って布団３の各ループ状の帯４に保持部材１６を取り付けておくようにすると共に、布団カバー１の内側の四隅部に保持部材１７を取り付けておくようにする。
【００２７】
上記布団３の各隅部におけるループ状の帯４に保持部材１６を取り付けるときは、図２（イ）（ロ）のように伸ばした状態の保持部材１６の一端側を、図４（イ）（ロ）に示す如く布団３のループ状の帯４の内側に通してから両端部の押圧式ボタンの雌側ボタン部１８ａと雄側ボタン部１８ｂを結合してリング状にしておき、ループ状の帯４から外れないようにして布団３に一体に保持されているようにする。
【００２８】
一方、保持部材１７を布団カバー１の内側の四隅部に取り付けておくときに、布団カバー１が既存のもので内側の四隅部に係止用の紐２が取り付けてあるものでは、リング状にしてある保持部材１７の雄側ボタン部１８ｂとは反対側の部分を上記紐２で結び付けて布団カバー１に一体的に保持させておき、紐２を解かない限り布団カバー１から取り外すことができないようにしておくようにする。
【００２９】
上記のようにして、事前に使用中の布団３の四隅部の係止用の帯４にそれぞれ保持部材１６をリング状にして取り付け、又、この布団３に使用する布団カバー１の内側の四隅部にリング状の保持部材１７をそれぞれ取り付けておけば、上記布団カバー１の内側に上記布団３を収納して、該布団３の四隅部を布団カバー１の四隅部に位置合わせをするときに、布団カバー１側の各保持部材１７の押圧式ボタン１８の雄側ボタン部１８ｂと、布団３側の各保持部材１６の押圧式ボタン１８の雌側ボタン部１８ａとを押圧して結合するという１動作で布団カバー１を布団３に保持させることができる。
【００３０】
これにより、簡単に且つ短時間に布団カバー１のずれ防止を行うことができると共に、各隅部で保持部材１６と１７とを１つの押圧式ボタンで結合した後は、各保持部材１６と１７は布団カバー１や布団３から離れることがないので、布団カバー１のずれ防止を確実に行うことができる。又、上記において、保持部材１７の雄側ボタン部１８ｂと保持部材１６の雌側ボタン部１８ａの結合は、押圧する操作だけで可能である。この際、リング状になっている保持部材１６と１７の内側には手の指を入れることができるので、押圧式ボタンの押圧操作を片手で簡単に行うことが可能であり、布団カバー１の内側の狭いところでも簡単に且つ確実に布団カバー１を布団３に係止できて、布団カバー１の布団３への被着を短時間に行わせることが可能となる。
【００３１】
一方、布団カバー１を布団３から取り外すときは、布団カバー１の一側部を開口させた後、各隅部で結合されている布団カバー１側の保持部材１７と布団３側の保持部材１６との結合を解除することにより、簡単に布団カバー１を布団３から取り外すことができる。
上記保持部材１６と１７との結合の解除は、該保持部材１６と１７を互に反対方向へ引張って押圧式ボタン１８の雌側ボタン部１８ａと雄側ボタン部１８ｂを離脱させるという１動作で行うことができる。この際、保持部材１６と１７は、いずれも内側に手の指が入る大きさのリング状になっているので、保持部材１６と１７に指を入れて反対方向に引張ることができて、小さい力でより簡単に結合を解除することができる。又、各保持部材１６，１７の帯状物１９，２０を掴むことによっても容易に結合を解除させることができる。
【００３２】
布団３から取り外した布団カバー１は、内側の四隅部にそれぞれ保持部材１７が一体に取り付けられたままにしておくようにし、洗濯等を終えると、そのまま使用できるようにする。
【００３３】
現在使用している布団に代えて別の布団を使用するときは、使用を中止する布団３の四隅部の係止用帯４に保持されている保持部材１６を取り外して、新しく使用する布団３の四隅部の係止用帯４に通し、図４（イ）（ロ）のように取り付けておくようにする。保持部材１６を古い布団３の係止用の帯４から取り外すときは、該保持部材１６の両端部を手で掴んで反対方向へ引張ることにより、押圧式ボタン１８の雌側ボタン部１８ａと雄側ボタン部１８ｂの結合を解除して帯状に伸ばした後、係止用の帯４の内側より引き抜くことにより容易に取り外すことができる。新しい布団３の係止用の帯４に取り付けるときは、前記した図２（イ）（ロ）のように伸びた状態の保持部材１６を一端側から帯４の内側に通してから両端部の雌側ボタン部１８ａと雄側ボタン部１８ｂを結合させることにより容易に取り付けることができる。以後は前記したと同様に、保持部材１７が取り付けてある布団カバー１に新しい布団３を収納して、布団カバー１側の保持部材１７と布団３側の保持部材１６を、図１に示すように結合させることにより直ちに布団カバー１の被着とすべり防止を行うことができることになる。
【００３４】
次に、図６及び図７は本考案の実施の他の形態を示すもので、結合部２３を一端部に有し且つ他端部に掴み部２４を有する簡易型のクリップ構造の保持部材２１と、一端部に帯状物２６の取付部２５を有し且つ他端部に上記保持部材２１の結合部２２に着脱自在に結合される結合具２６を有する保持部材２２とからなる構成として、上記保持部材２１の掴み部２４を布団３の少なくとも四隅部に取り付けてあるループ状の帯４に挟み付けて留めるようにして、該保持部材２１を布団３に取付け保持させておくようにする。又、上記保持部材２２の帯状物２７は端部同士を固着してリング状にし、布団カバー１の内側の少なくとも四隅部に取り付けてある結び紐２にて保持させるか、あるいは、リング状とした帯状物２７を布団カバー１に直接縫い付けて固定するようにする。
【００３５】
上記クリップ状の保持部材２１の一端部に設けてある結合部２３は、所要深さの凹部形状としてあって、中央部に仕切壁２３ａを設けると共に、左右両側部の一端部寄り位置における上下に、突起２３ｂを相対向させてそれぞれ設けた構成としてある。又、該保持部材２１の他端部の掴み部２４は、噛み合うための固定の下あご２４ａと、一端部を支持点として上下動する上あご２４ｂと、該上あご２４ｂを非噛み合い状態に復帰させる板ばね２４ｃを有し、レバー２４ｄを軸２４ｅを中心に上下のあご２４ｂ，２４ａ側へ回動させることにより、上あご２４ｂを下あご２４ａに押し付けて噛み合わせるようにし、レバー２４ｄを上記とは反対方向に回動させることにより板ばね２４ｃの弾力により上あご２４ｂが下あご２４ａから離れて非噛み合い状態が実現できるようにしてある。
【００３６】
一方、上記保持部材２１の結合部２３に着脱自在に結合させるようにする保持部材２２の結合具２６は、帯状物２７の取付部２５より他端側へ向け突出させた２本のピン２８ａ，２８ｂをそれぞれ外側へＵ字状に折り曲げて、左右方向に弾力性を有するようにし、且つ上記各Ｕ字状のピン２８ａ，２８ｂの外側に、押圧用の操作部２９を取り付け、更に、上記ピン２８ａ，２８ｂの先端の係止片３０と、上記取付部２５の左右両端部より他端側へ突出させた係止片３１とでストッパ部を設けた構成としてある。
【００３７】
したがって、上記保持部材２１の結合部２３に、保持部材２２の結合具２６を挿入すると、左右のＵ字状のピン２８ａ，２８ｂの先端側が結合部２３の上下左右の突起２３ｂで内側へ押されながら挿入された後、結合部２３の左右の突起２３ｂが結合具２６の左右の各係止片３０と３１との間に入り込むことにより結合部２３と結合具２６とがロックされるようになる。又、結合具２６の押圧用操作部２９を手で内側へ押せば、ロックが解除されて、結合具２６が結合部２３より抜き出せるようになる。
【００３８】
かかる構成の保持部材２１と２２を、布団３と布団カバー１に取り付けておけば、前記した図１の実施の形態の場合と同様にワンタッチで結合したり、結合を解除できる。すなわち、布団３の少なくとも四隅部のループ状の帯４を、保持部材２１の掴み部２４で掴んで、該帯４に保持部材２１を保持させておく。一方、布団カバー１の内側の少なくとも四隅部には、保持部材２２のリング状にしてある帯状物２７を取り付けて保持させておく。
これにより、布団カバー１に布団３を収納した後に、布団カバー１のすべり止めを行うときは、布団３の帯４に取付け保持されている保持部材２１の自由端側となっている結合部２３に、布団カバー１に取付け保持されている保持部材２２の結合具２６を差し込む動作のみで両保持部材２１，２２同士をロックできて、直ちに布団カバー１のすべり止めを行うことができる。
【００３９】
布団カバー１を布団３から取り外すときは、保持部材２２の結合具２６に取り付けてある左右の押圧用操作部２９を内側へ押すことにより、保持部材２１とのロックが解除されて両保持部材２１，２２を離脱させることができ、布団３に取り付けてある係止用の帯４からもズレ防止紐やバンドを抜き取るという従来の操作を一切行うことをなくすことができる。これにより、直ちに布団カバー１を布団３から簡単に切り離すことができる。この際、布団３には、保持部材２１を残しておくので、従来の更に布団３から取り外す動作を省略できて有利である。
【００４０】
なお、上記実施の形態では、布団カバー１は既存のものとして四隅部に取り付けてある係止用の紐２に保持部材１７を結び付けておく場合を例示したが、これに限定されるものではなく、布団カバー１の内側の四隅部に係止用の紐を取り付ける代りに、図８に示す如く、保持部材１７を直接縫い付けて取り付けたものとしてもよい。又、布団カバー１側に取り付けておくようにする保持部材１７に押圧式ボタンの雄側ボタン部１８ｂを固定し、布団３側の係止用の帯４に取り付けておくようにする保持部材１６の中央部分に押圧式ボタンの雌側ボタン部１８ａを固定した場合を示したが、布団カバー１側の保持部材１７に雌側ボタン部１８ａを、又、布団３側の保持部材１６の中央部分に雄側ボタン部１８ｂをそれぞれ固定するようにしてもよい。更に、布団３の四隅部の係止用の帯４に保持部材１６を通して取り付ける場合を示したが、布団３の四隅部にループ状にした係止用の紐が取り付けられている形式のものでは、ループ状の係止用の紐に保持部材１６を通して取り付けておくようにしてもよいこと、保持部材１６，１７は布団カバー１、布団３の四隅部のみならず、両側部の中央部位置にそれぞれ取り付けておくようにしてもよいこと、更に、押圧式ボタン１８を構成する雌側ボタン部１８ａと雄側ボタン部１８ｂの大きさは任意であり、或る程度の結合保持力があれば、大きさの小さいものでもよいが、或る程度の大きさを有するものとした方が取扱いが楽で操作し易くて有利であること、その他本考案の要旨を逸脱しない範囲内で種々変更を加え得ることは勿論である。
【図面の簡単な説明】
【００４１】
【図１】本考案の実施の一形態を示す斜視図である。
【図２】本考案における布団に取り付けておくための保持部材を示すもので、（イ）は伸ばした状態の正面図、（ロ）はその側面図である。
【図３】本考案における布団カバーに取り付けておくための保持部材を示すもので、（イ）は伸ばした状態の正面図、（ロ）はその側面図、（ハ）はリング状にした側面図である。
【図４】図２に示した保持部材を布団の隅部の係止用の帯にリング状にして取り付けた状態を示すもので、（イ）は布団の隅部を表面側へ折り返した状態の斜視図、（ロ）は布団の隅部を裏面を示す斜視図である。
【図５】図３（ハ）に示した保持部材を布団カバーの隅部に取り付けた状態を示すもので、（イ）は平面図、（ロ）は側面図である。
【図６】本考案の実施の他の形態を示す２つの保持部材の概略図である。
【図７】図６に示す保持部材を布団と布団カバーに取付けて結合した状態を示す概略図である。
【図８】図３（ハ）に示した保持部材を布団カバーの隅部に縫い付けた状態を示す斜視図である。
【図９】従来の布団カバーに取り付けたズレ防止紐を示す平面図である。
【図１０】図７のズレ防止紐を布団のループ状の帯に掛けて係止させた状態を示す平面図である。
【図１１】従来の布団カバーにバンドを取り付けた状態を示す平面図である。
【図１２】図９のバンドを布団のループ状の帯に掛けて係止させる前の状態を示す平面図である。
【符号の説明】
【００４２】
１  布団カバー
３  布団
４  係止用の帯
１６  保持部材
１７  保持部材
１８  押圧式ボタン
１８ａ  雌側ボタン部（結合具）
１８ｂ  雄側ボタン部（結合具）
１９  帯状物
２０  帯状物
２１  保持部材
２２  保持部材
２３  結合部
２４  掴み部
２６  結合具
２７  帯状物
２９  押圧式の操作部
【図１】
0003107996.tif 000003
【図２】
0003107996.tif 000004
【図３】
0003107996.tif 000005
【図４】
0003107996.tif 000006
【図５】
0003107996.tif 000007
【図６】
0003107996.tif 000008
【図７】
0003107996.tif 000009
【図８】
0003107996.tif 000010
【図９】
0003107996.tif 000011
【図１０】
0003107996.tif 000012
【図１１】
0003107996.tif 000013
【図１２】
0003107996.tif 000014